【手続補正書】
【提出日】平成26年9月11日(2014.9.11)
【手続補正１】
【補正対象書類名】特許請求の範囲
【補正対象項目名】全文
【補正方法】変更
【補正の内容】
【特許請求の範囲】
【請求項１】
端末装置からアクセス先として通知されたアドレスにアクセスを行うプロキシサーバ装置がアクセスを行ったアドレスの内、所定のアドレスを抽出するアドレス抽出装置であって、
前記プロキシサーバ装置が行ったアクセス毎にアクセス先のアドレスが示されるプロキシログと、あらかじめ正当と定義されたアドレスが示される正当アドレス情報とを入力するアドレス入力部と、
前記アドレス入力部により入力されたプロキシログに示されるアドレスの内、前記正当アドレス情報に示されていないアドレスを抽出するアドレス抽出部と
を備えたことを特徴とするアドレス抽出装置。
【請求項２】
前記アドレス入力部は、
ユーザの指示に基づいて前記端末装置が前記プロキシサーバ装置にアクセス先として通知したアドレスが示されるユーザ指示情報を入力し、
前記アドレス抽出部は、
前記アドレス入力部により入力されたプロキシログに示されるアドレスの内、前記正当アドレス情報と前記ユーザ指示情報とのいずれにも示されていないアドレスを抽出することを特徴とする請求項１記載のアドレス抽出装置。
【請求項３】
前記アドレス入力部は、
前記ユーザが前記端末装置に対してアクセス先のアドレスを指示するアドレス指示操作に基づいて前記端末装置が前記プロキシサーバ装置にアクセス先として通知したアドレスがアドレス指示操作と対応付けられて示される端末操作ログを前記ユーザ指示情報として入力することを特徴とする請求項２記載のアドレス抽出装置。
【請求項４】
前記アドレス入力部は、
ローカルプロキシを有する端末装置が前記ユーザの指示に基づいて前記ローカルプロキシを利用して前記プロキシサーバ装置にアクセス先として通知したアドレスが示されるローカルプロキシログを前記ユーザ指示情報として入力することを特徴とする請求項２記載のアドレス抽出装置。
【請求項５】
前記アドレス入力部は、
前記ユーザ指示情報に示されるアドレスのウェブページに関連付けされているアドレスが示される関連アドレス情報を入力し、
前記アドレス抽出部は、
前記アドレス入力部により入力されたプロキシログに示されるアドレスの内、前記正当アドレス情報と前記ユーザ指示情報と前記関連アドレス情報とのいずれにも示されていないアドレスを抽出することを特徴とする請求項２〜４いずれか記載のアドレス抽出装置。
【請求項６】
前記アドレス入力部は、
前記プロキシサーバ装置が行ったアクセス毎にアクセスが行われたアクセス時刻とアクセス先のアドレスとが対応付けられて示されるプロキシログを入力し、
前記アドレス抽出部は、
前記アドレス入力部により入力されたプロキシログに示されるアドレスの内、ユーザの存在を検知する検知装置が、ユーザが前記端末装置の前に存在しないと検知した期間に含まれるアクセス時刻に対応付けられているアドレスを抽出することを特徴とする請求項１〜５いずれか記載のアドレス抽出装置。
【請求項７】
前記アドレス入力部は、
前記プロキシサーバ装置が行ったアクセス毎にアクセスが行われたアクセス時刻とアクセス先のアドレスとが対応付けられて示されるプロキシログと、
ユーザが前記端末装置に対して指示する指示操作と指示操作毎の操作時刻とが対応付けられて示され、前記ユーザが前記端末装置に対してアクセス先のアドレスを指示する場合に、前記ユーザが前記端末装置に対してアクセス先のアドレスを指示するアドレス指示操作に基づいて前記端末装置が前記プロキシサーバ装置にアクセス先として通知したアドレスがアドレス指示操作とアドレス指示操作の操作時刻とに対応付けられて示される端末操作ログとを入力し、
前記アドレス抽出装置は、更に、
前記端末操作ログに示される操作時刻の内、あらかじめ定義された定義期間の開始時刻後の最初の操作時刻と前記定義期間の終了時刻前の最後の操作時刻とを抽出し、前記定義期間の開始時刻から前記最初の操作時刻までの期間と前記最後の操作時刻から前記定義期間の終了時刻までの期間とから成る非操作期間を算出する、または、前記端末操作ログに示される操作時刻の内、前記定義期間の開始時刻後の操作時刻であってアドレスが対応付けられている最初の操作時刻である最初のアドレス対応操作時刻と、前記定義期間の終了時刻前の操作時刻であってアドレスが対応付けられている最後の操作時刻である最後のアドレス対応操作時刻とを抽出し、前記定義期間の開始時刻から前記最初のアドレス対応操作時刻までの期間と前記最後のアドレス対応操作時刻から前記定義期間の終了時刻までの期間とから成る非アドレス対応期間を算出する期間算出部
を備え、
前記アドレス抽出部は、
前記期間算出部により非操作期間が算出された場合に、前記アドレス入力部により入力されたプロキシログに示されるアドレスの内、前記非操作期間に含まれるアクセス時刻が対応付けられているアドレスを抽出し、前記期間算出部により非アドレス対応期間が算出された場合に、前記アドレス入力部により入力されたプロキシログに示されるアクセス時刻に対応付けられているアドレスの内、前記非アドレス対応期間に含まれるアクセス時刻に対応付けられているアドレスを抽出することを特徴とする請求項１〜６いずれか記載のアドレス抽出装置。
【請求項８】
前記アドレス抽出装置は、更に、
前記アドレス抽出部により抽出されたアドレスの内、少なくとも１つの所定の条件に合致する所定のアドレスを条件合致アドレスとして特定する条件合致アドレス特定部
を備えることを特徴とする請求項１〜７いずれか記載のアドレス抽出装置。
【請求項９】
前記アドレス抽出装置は、更に、
前記アドレス抽出部により抽出されたアドレス毎にアドレスのウェブページの提供元が属する国が示される提供国情報と、あらかじめ特定された国が示される特定国情報とを入力する情報入力部
を備え、
前記条件合致アドレス特定部は、
前記情報入力部により入力された提供国情報に示される国の中で前記特定国情報に示されるいずれかの国に合致する国が提供しているウェブページのアドレスを条件合致アドレスとして特定する請求項８記載のアドレス抽出装置。
【請求項１０】
前記アドレス入力部は、
前記プロキシサーバ装置が行ったアクセス毎にアクセス先のアドレスとアクセス時のデータ通信量とが対応付けられて示されるプロキシログを入力し、
前記アドレス抽出装置は、更に、
前記アドレス入力部により入力されたプロキシログから前記アドレス抽出部により抽出された各アドレスに対する単位時間毎のアクセス数を算出する、または、前記アドレス入力部により入力されたプロキシログから前記アドレス抽出部により抽出された各アドレスに対する単位時間毎のデータ通信量を算出する通信量算出部
を備え、
前記条件合致アドレス特定部は、
前記通信量算出部により単位時間毎のアクセス数が算出された場合に、あらかじめ定義された所定の期間においてのみ前記通信量算出部により算出された単位時間毎のアクセス数が、あらかじめ定義されたアクセス数の第１の閾値以上となるアドレスを条件合致アドレスとして特定し、前記通信量算出部により単位時間毎のデータ通信量が算出された場合に、あらかじめ定義された所定の期間においてのみ前記通信量算出部により算出された単位時間毎のデータ通信量が、あらかじめ定義されたデータ通信量の第１の閾値以上となるアドレスを条件合致アドレスとして特定する請求項８記載のアドレス抽出装置。
【請求項１１】
前記アドレス入力部は、
前記プロキシサーバ装置が行ったアクセス毎にアクセス先のアドレスとアクセス時のデータ通信量とが対応付けられて示されるプロキシログを入力し、
前記アドレス抽出装置は、更に、
前記アドレス入力部により入力されたプロキシログから前記アドレス抽出部により抽出された各アドレスに対する単位時間毎のアクセス数を算出する、または、前記アドレス入力部により入力されたプロキシログから前記アドレス抽出部により抽出された各アドレスに対する単位時間毎のデータ通信量を算出する通信量算出部
を備え、
前記条件合致アドレス特定部は、
前記通信量算出部により単位時間毎のアクセス数が算出された場合に、前記単位時間毎のアクセス数が一定周期毎にあらかじめ定義されたアクセス数の第２の閾値以上となるアドレスを条件合致アドレスとして特定し、前記通信量算出部により単位時間毎のデータ通信量が算出された場合に、前記単位時間毎のデータ通信量が一定周期毎にあらかじめ定義されたデータ通信量の第２の閾値以上となるアドレスを条件合致アドレスとして特定することを特徴とする請求項８記載のアドレス抽出装置。
【請求項１２】
前記アドレス入力部は、
前記プロキシサーバ装置が行ったアクセス毎に、アクセス先のアドレスと、前記プロキシサーバ装置からアクセス先へ送信したデータのサイズであるリクエストサイズと、前記プロキシサーバ装置がアクセス先から受信したデータのサイズであるレスポンスサイズとが対応付けられて示されるプロキシログを入力し、
前記条件合致アドレス特定部は、
前記アドレス入力部により入力されたプロキシログから前記アドレス抽出部により抽出された各アドレスと対応付けられているレスポンスサイズをアクセス単位で特定し、
特定したレスポンスサイズがあらかじめ定義されたレスポンスサイズの閾値未満のアドレスを条件合致アドレスとして特定することを特徴とする請求項８記載のアドレス抽出装置。
【請求項１３】
前記条件合致アドレス特定部は、
前記アドレス入力部により入力されたプロキシログから前記アドレス抽出部により抽出された各アドレスと対応付けられているレスポンスサイズとリクエストサイズとをアクセス単位で特定し、
特定したレスポンスサイズがあらかじめ定義されたレスポンスサイズの閾値未満であり、リクエストサイズがあらかじめ定義されたリクエストサイズの閾値未満のアドレスを条件合致アドレスとして特定することを特徴とする請求項１２記載のアドレス抽出装置。
【請求項１４】
前記アドレス入力部は、
ユーザの操作により前記端末装置が前記プロキシサーバ装置に通知したアドレスに基づいて前記プロキシサーバ装置が行ったアクセスのアクセス先のウェブページのタイトルが示される端末操作ログと、
前記端末装置がローカルプロキシを利用して前記プロキシサーバ装置に通知したアドレスに基づいて前記プロキシサーバ装置が行ったアクセスのアクセス先のウェブページのタイトルとアクセス先のアドレスとが対応付けられて示されるローカルプロキシ情報が少なくとも１つ以上含まれるローカルプロキシログとを入力し、
前記アドレス抽出装置は、更に、
前記アドレス入力部により入力されたローカルプロキシログに含まれるローカルプロキシ情報に示されるタイトルの内、前記端末操作ログに示されるタイトルに合致するタイトルが示されるローカルプロキシ情報を抽出するローカルプロキシ情報抽出部
を備え、
前記アドレス抽出部は、
前記アドレス入力部により入力されたプロキシログに示されるアドレスの内、前記正当アドレス情報と、前記ローカルプロキシ情報抽出部に抽出されたローカルプロキシ情報とのいずれにも示されていないアドレスを抽出することを特徴とする請求項１記載のアドレス抽出装置。